(57)【特許請求の範囲】
【請求項１】
農業用太陽光制御フィルムにおいて、
入射面と出射面とを有するフィルム基材を備え、
フィルム基材の出射面に複数の凸状部が設けられ、
少なくとも１つの凸状部の一部の面に梨地面が形成され、梨地面は入射面に入る光を拡散させて出射させることを特徴とする農業用太陽光制御フィルム。
【請求項２】
各凸状部は多面体からなる単位プリズムからなることを特徴とする請求項１に記載の農業用太陽光制御フィルム。
【請求項３】
各単位プリズムは四角すい状の単位プリズムからなることを特徴とする請求項２記載の農業用太陽光制御フィルム。
【請求項４】
各凸状部は多角柱状の細長状プリズムからなることを特徴とする請求項１に記載の農業用太陽光制御フィルム。
【請求項５】
前記細長状プリズムは、三角柱状をなしていることを特徴とする請求項４記載の農業用太陽光制御フィルム。
【請求項６】
農業用太陽光制御フィルムにおいて、
入射面と出射面とを有するフィルム基材を備え、
フィルム基材の出射面に複数の凸状部が設けられ、
フィルム基材の入射面の一部に梨地面が形成され、梨地面は入射面に入射される光を拡散させることを特徴とする農業用太陽光制御フィルム。
【請求項７】
各凸状部は多面体からなる単位プリズムからなることを特徴とする請求項６に記載の農業用太陽光制御フィルム。
【請求項８】
各単位プリズムは四角すい状の単位プリズムからなることを特徴とする請求項７記載の農業用太陽光制御フィルム。
【請求項９】
各凸状部は多角柱状の細長状プリズムからなることを特徴とする請求項６に記載の農業用太陽光制御フィルム。
【請求項１０】
前記細長状プリズムは、三角柱状をなしていることを特徴とする請求項９記載の農業用太陽光制御フィルム。
【請求項１１】
農業用太陽光制御フィルムにおいて、
入射面と出射面とを有するフィルム基材を備え、
フィルム基材の出射面に複数の凸状部が設けられ、
フィルム基材の出射面側に、梨地面を有する補強板が設けられ、梨地面は出射面から出射された光を拡散させ、
各凸状部は切頭四角すい状の単位プリズムからなり、
前記補強板は単位プリズムの頂面に固着されていることを特徴とする農業用太陽光制御フィルム。
【請求項１２】
農業用太陽光制御フィルムにおいて、
入射面と出射面とを有するフィルム基材を備え、
フィルム基材の出射面に複数の凸状部が設けられ、
フィルム基材の出射面側に、梨地面を有する補強板が設けられ、梨地面は出射面から出射された光を拡散させ、
各凸状部は平坦な頂面を有する三角柱状の細長状プリズムからなり、
前記補強板は細長状プリズムの頂面に固着されていることを特徴とする農業用太陽光制御フィルム。
【発明の詳細な説明】
【技術分野】
【０００１】
本発明は農業用太陽光制御フィルムに係り、とりわけ、ハウス内に入射する太陽光の光量を調節する農業用太陽光制御フィルムに関する。
【背景技術】
【０００２】
ハウスに設置される農業用太陽光制御フィルムにおいて、ハウス内の入射光量を調節する方法としてはフィルム上に凹凸を設けたものが知られている（例えば、特許文献１参照）。特許文献１に記載される従来のフィルムは、フィルム上に全て一方向に沿った凹状を設けることにより、夏期の太陽の高度が高いときに光量を減少させ、冬期の太陽の高度が低いときに光量を増加させている。
【０００３】
しかしながら、従来のフィルムは夏期と冬期の間における太陽の高度変化に応じて光量を変えるだけであり、どの程度光量を増加させるか、またはどの程度光量を減少させるかといった光量の調整ができず、好適な光量の太陽光をハウスに導くことができなかった。
【先行技術文献】
【特許文献】
【０００４】
【特許文献１】特許第２９１０２９１号公報
【発明の概要】
【発明が解決しようとする課題】
【０００５】
本発明はこのような点を考慮してなされたものであり、ハウス内に好適な光量の太陽光を導くことができる農業用太陽光制御フィルムを提供することを目的とする。
【課題を解決するための手段】
【０００６】
本発明の一態様による農業用太陽光制御フィルムは、入射面と出射面とを有するフィルム基材を備え、フィルム基材の出射面に複数の凸状部が設けられ、少なくとも１つの凸状部の一部の面に梨地面が形成され、梨地面は入射面に入る光を拡散させて出射させることを特徴とするものである。
【０００７】
本発明の一態様による農業用太陽光制御フィルムは、各凸状部は多面体からなる単位プリズムからなることを特徴とするものである。
【０００８】
本発明の一態様による農業用太陽光制御フィルムは、  各単位プリズムは四角すい状の単位プリズムからなることを特徴とするものである。
【０００９】
各凸状部は多角柱状の細長状プリズムからなることを特徴とするものである。
【００１０】
本発明の一態様による農業用太陽光制御フィルムは、前記細長状プリズムは、三角柱状をなしていることを特徴とするものである。
【００１１】
本発明の一態様による農業用太陽光制御フィルムは、入射面と出射面とを有するフィルム基材を備え、フィルム基材の出射面に複数の凸状部が設けられ、フィルム基材の入射面の一部に梨地面が形成され、梨地面は入射面に入射される光を拡散させることを特徴とするものである。
【００１２】
本発明の一態様による農業用太陽光制御フィルムは、各凸状部は多面体からなる単位プリズムからなることを特徴とするものである。
【００１３】
本発明の一態様による農業用太陽光制御フィルムは、各単位プリズムは四角すい状の単位プリズムからなることを特徴とするものである。
【００１４】
本発明の一態様による農業用太陽光制御フィルムは、各凸状部は多角柱状の細長状プリズムからなることを特徴とするものである。
【００１５】
本発明の一態様による農業用太陽光制御フィルムは、前記細長状プリズムは、三角柱状をなしていることを特徴とするものである。
【００１６】
本発明の一態様による農業用太陽光制御フィルムは、入射面と出射面とを有するフィルム基材を備え、フィルム基材の出射面に複数の凸状部が設けられ、フィルム基材の出射面側に、梨地面を有する補強板が設けられ、梨地面は出射面から出射された光を拡散させることを特徴とするものである。
【００１７】
本発明の一態様による農業用太陽光制御フィルムは、各凸状部は切頭四角すい状の単位プリズムからなり、前記補強板は単位プリズムの頂面に固着されていることを特徴とするものである。
【００１８】
本発明の一態様による農業用太陽光制御フィルムは、各凸状部は平坦な頂面を有する三角柱状の細長状プリズムからなり、前記補強板は細長状プリズムの頂面に固着されていることを特徴とするものである。
【発明の効果】
【００１９】
本発明によれば、ハウス内に好適な光量の太陽光を導くことができる。
【図面の簡単な説明】
【００２０】
【図１】図１（ａ）〜（ｄ）は本発明の第１の実施の形態による農業用太陽光制御フィルムを示す図。
【図２】図２（ａ）（ｂ）は農業用太陽光制御フィルムが設置されるハウスを示す図。
【図３】図３はハウスに設置された農業用太陽光制御フィルムを示す図。
【図４】図４（ａ）〜（ｄ）は農業用太陽光制御フィルムの作用を示す図。
【図５】図５（ａ）（ｂ）は農業用太陽光制御フィルムの作用を示す図。
【図６】図６（ａ）（ｂ）は農業用太陽光制御フィルムの作用を示す図。
【図７】図７は季節による太陽の通り道の変化を示す図。
【図８】図８（ａ）〜（ｄ）は第１の実施形態の変形例を示す図。
【図９】図９（ａ）〜（ｄ）は第１の実施形態の変形例を示す図。
【図１０】図１０（ａ）〜（ｃ）は第１の実施形態の変形例を示す図。
【図１１】図１１（ａ）〜（ｄ）は第１の実施形態の変形例を示す図。
【図１２】図１２（ａ）〜（ｄ）は第１の実施形態の変形例を示す図。
【図１３】図１３（ａ）〜（ｃ）は本発明の第２の実施の形態による農業用太陽光制御フィルムを示す図。
【図１４】図１４（ａ）〜（ｃ）は第２の実施形態の変形例を示す図。
【図１５】図１５（ａ）〜（ｃ）は第２の実施形態の変形例を示す図。
【図１６】図１６（ａ）（ｂ）は第２の実施形態の変形例を示す図。
【図１７】図１７（ａ）〜（ｃ）は第２の実施形態の変形例を示す図。
【図１８】図１８（ａ）〜（ｃ）は第２の実施形態の変形例を示す図。
【発明を実施するための形態】
【００２１】
以下、図面を参照して本発明の第１の実施形態について説明する。
【００２２】
（第１の実施形態）図１乃至図７は本発明による農業用太陽光制御フィルムの第１の実施形態を示す図である。
【００２３】
まず図２（ａ）（ｂ）により、農業用太陽光制御フィルム１０が設置されるハウス２０について説明する。
【００２４】
ハウス２０内には草丈約２ｍの植物２１が１ｍ間隔で植えられている。ハウス２０は、高さ３．５ｍの側壁２３を有し、側壁２３上部には農業用太陽光制御フィルム１０が設置され、この農業用太陽光制御フィルム１０はハウス２０の頂部を構成する。
【００２５】
ハウス２０の全高は５．５ｍとなっており、農業用太陽光制御フィルム１０は、水平面に対して約２３°の傾斜角をもって配置されている。またハウス２０の全長は８ｍとなっている。
【００２６】
図２（ａ）に示すように、冬期には太陽光Ｌは水平面に対して最大約３２°の傾斜角でハウス２０へ入射し、図２（ｂ）に示すように、夏期には太陽光Ｌは最大約７８°の傾斜角でハウス２０へ入射する。
【００２７】
このように太陽光は、夏期と冬期の間で南北方向に沿ってその高度が変化する。
【００２８】
また太陽光は一日の間でも、東西方向に沿ってその高度が変化する（図７参照）。
【００２９】
本実施形態による太陽光制御フィルムは、後述のように、太陽の高度が夏期と冬期の間で変化し、一日の間でも変化することを考慮し、太陽から効率良くハウス２０内へ太陽光を導くことができる。
【００３０】
次に本実施形態による農業用太陽光制御フィルムについて、更に説明する。
【００３１】
図１（ａ）（ｂ）（ｃ）（ｄ）に示すように、農業用太陽光制御フィルム１０は、入射面１１ａと出射面１１ｂとを有するフィルム基材１１からなり、フィルム基材１１の出射面１１ｂに多数の単位プリズム１２からなる凸状部が設けられている。また、出射面１１ｂの一部には、微小な凹凸のある梨地面１１ｃが形成されている。図１（ｂ）では梨地面１１ｃを破線で示している。
【００３２】
各単位プリズム１２は、各々多面体、例えば四角すい状となっており、フィルム基材１１の出射面１１ｂに格子状に配置されている。
【００３３】
ここで図１（ａ）は農業用太陽光制御フィルム１０を示す裏面図であり、図１（ｂ）は図１（ａ）のＸ線方向断面図であり、図１（ｃ）は単位プリズム１２を示す図であり、図１（ｄ）は図１（ｄ）のＹ線方向断面図である。
【００３４】
各単位プリズム１２は、四角すい状をなしているため、各単位プリズム１２においてフィルム基材１１の入射面１１ａに入る一方向の太陽光の成分を屈折させて出射面１１ｂから出射させ、入射面１１ａに入る一方向に直交する他方向の太陽光の成分を屈折させて出射面１１ｂから出射させることができる。また、四角すい状の単位プリズム１２の側面の１つが梨地面１１ｃになっている。このことにより、梨地面１１ｃから太陽光の成分を拡散させて出射させることができる。例えば、図１（ｂ）に示すように、単位プリズム１２の短面領域が梨地面１１ｃになっている。
【００３５】
フィルム基材１１の入射面１１ａに入る一方向が、夏期と冬期との間で太陽の高度が変化する南北方向であり、他方向が一日の間で太陽の高度が変化する東西方向の場合、各単位プリズム１２によって夏期と冬期との間で高度が変化する太陽光を屈折させてハウス２０内に導き、一日の間で高度が変化する太陽光を屈折させてハウス２０内に導くことができる。また、梨地面１１ｃにより、太陽光をハウス２０内に拡散させることができる。
【００３６】
次に農業用太陽光制御フィルム１０のフィルム基材１１の材料について述べる。
【００３７】
フィルム基材１１は、透光性を有するものであれば特に制限はないが、例えば、ポリ塩化ビニル、ポリオレフィン、酢酸ビニル、ポリエチレンなどのプラスチック系材質のフィルムやフッ素樹脂フィルムやガラス板などから選択することができる。
【００３８】
なかでも、保温性の観点からポリオレフィン材質のフィルムを用いたり、耐久性の観点からフッ素樹脂材質のフィルムを用いたりすることが望ましい。
【００３９】
フィルム基材１１の製造方法としては、プラスチック系材質であれば押し出しやインフレーションなど加熱溶融時にエンボスなど賦形を直接施すこともできるし、フィルム製造後に別途ＵＶ硬化樹脂などを表面塗布した後に、エンボス硬化させてもよい。
【００４０】
フィルム基材１１の厚さに特に制限はないが、例えば、７５μｍ〜１５０μｍの範囲とすることが好ましい。フィルム基材１１の厚さを上記範囲とすることで重量や原料コストを抑えつつ一定の強度を保つとすることができる。
【００４１】
次に、梨地面１１ｃの製造方法について説明する。
【００４２】
例えば、押し出しやインフレーションなどプラスチック系材質の加熱溶融時にエンボスなど賦形を施してフィルム基材１１を製造する際に、単位プリズム１２を形成するための凹凸エンボスと梨地面１１ｃを形成するための梨地エンボスとを同時加工することで、梨地面１１ｃを得ることができる。
【００４３】
また、無機フィラーを混練した合成樹脂を成形加工したり、合成樹脂に架橋剤を混ぜて成形加工したりして、梨地面１１ｃを形成することができる。また、フィルム基材１１の表面の所定領域に、シリカなどの無機微小物を蒸着させることで、梨地面１１ｃを形成することもできる。
【００４４】
このような方法により、例えば、株式会社  村上色彩技術研究所  ヘーズメータ  ＨＭ−１５０（ＪＩＳ  Ｋ７１３６に準拠）により測定したヘーズ値が２０％〜４０％の梨地面１１ｃを形成する。
【００４５】
次にこのような構成からなる本実施の形態の作用について説明する。
【００４６】
１日の間で太陽の高さは東西方向に変化する。
【００４７】
図３および図４（ａ）（ｂ）（ｃ）（ｄ）に示すように、ハウス２０に設置された農業用太陽光制御フィルム１０に対して太陽光Ｌが入射する。このとき、朝と夕は太陽の高度が低く、昼は太陽の高度が高くなっている。
【００４８】
本実施の形態によれば、農業用太陽光制御フィルム１０はフィルム基材１１からなり、フィルム基材１１の出射面１１ｂに、正四角すい状の多数単位プリズム１２が格子状に配置されているので、この単位プリズム１２によって太陽光Ｌを屈折させて効率良くハウス２０内へ導くことができる。
【００４９】
ここで図３はハウス２０を示す概略斜視図であり、図４（ａ）（ｂ）はハウス２０内を異なる方向からみた図であり、図４（ｃ）は朝に農業用太陽光制御フィルム１０の単位プリズム１２を通る太陽光Ｌを示す図であり、図４（ｄ）は、夕に農業用太陽光制御フィルム１０の単位プリズム１２を通る太陽光Ｌを示す図である。
【００５０】
図３および図４（ａ）（ｂ）（ｃ）（ｄ）に示すように、朝夕は、太陽は低い位置にある。このとき、農業用太陽光制御フィルム１０に低い位置から斜めに入射する太陽光Ｌは、各単位プリズム１２を通って垂直方向に向って屈折してハウス２０内に出射される（図４（ａ）（ｃ）（ｄ））。
【００５１】
このように太陽光Ｌが各単位プリズム１２により垂直方向に向って屈折した後、ハウス２０内に出射される。このため、太陽光Ｌは植物２１間にも十分に達することができ、ハウス２０内の植物２１の略全体に効果的に光を導くことができる。
【００５２】
また昼においては、太陽は比較的高い位置にある。このとき、農業用太陽光制御フィルム１０に高い位置から入射する太陽光Ｌは、単位プリズム１２により、より垂直方向に向って屈折してハウス２０内に出射される（図４（ｄ））。
【００５３】
このため昼においては、ハウス２０内に出射される太陽光Ｌは植物２１の下方まで十分に行き渡ることになる。
【００５４】
なお、図４（ｃ）（ｄ）に示すように、朝夕で太陽の高度が対称に変化するため、東西方向に沿った単位プリズム１２の断面形状は、横方向長さ１０に対し高さ方向長さが５である二等辺三角形となっており、左右対称形となる。
【００５５】
他方、冬期と夏期の間でも太陽の高さが南北方向に変化する。
【００５６】
図５（ａ）（ｂ）および図６（ａ）（ｂ）に示すように、ハウス２０に設置された農業用太陽光制御フィルム１０に対して太陽光Ｌが入射する。このとき、冬期は太陽の高度が低く、夏期は太陽の高度が高くなっている。
【００５７】
本実施の形態によれば、農業用太陽光制御フィルム１０はフィルム基材１１からなり、フィルム基材１１の出射面１１ｂに、正四角すい状の多数単位プリズム１２が格子状に配置されているので、この単位プリズム１２によって太陽光Ｌを屈折させて効率良くハウス２０内へ導くことができる。
【００５８】
ここで図５（ａ）は冬期に農業用太陽光制御フィルム１０を通る太陽光Ｌを示す図であり、図５（ｂ）はそのときの単位プリズムの拡大図である。また図６（ａ）は夏期に、農業用太陽光制御フィルム１０を通る太陽光Ｌを示す図であり、図６（ｂ）はそのときの単位プリズムの拡大図である。
【００５９】
図５（ａ）（ｂ）に示すように、冬期、太陽は低い位置にある。このとき、農業用太陽光制御フィルム１０に低い位置から斜めに入射する太陽光Ｌは、各単位プリズム１２（の長面）を通って垂直方向に向って屈折してハウス２０内に出射される（図５（ａ）（ｂ））。
【００６０】
このように太陽光Ｌが各単位プリズム１２により垂直方向に向って屈折した後、ハウス２０内に出射される。このため太陽光Ｌは植物２１間にも十分に達することができ、ハウス２０内の植物２１の略全体に効果的に光を導くことができる。
【００６１】
また夏期においては、太陽は比較的高い位置にある。このとき、農業用太陽光制御フィルム１０に高い位置から入射する太陽光Ｌは、単位プリズム１２により、より垂直方向に向って屈折してハウス２０内に出射される（図６（ａ）（ｂ））。また、単位プリズム１２の短面には梨地面１１ｃが設けられており、太陽光Ｌはハウス２０内に拡散する。単位プリズム１２の短面に梨地面１１ｃが設けられていない場合、短面で屈折した太陽光はハウス２０外へ出射され、ハウス２０内の光量が減少する。しかし、本実施形態では、単位プリズム１２の短面には梨地面１１ｃを設け、短面における光の屈折機能を低減し、光を拡散させることで、ハウス２０内の光量の減少を抑制することができる。
【００６２】
このため夏期においては、ハウス２０内に出射される太陽光Ｌは植物２１の下方まで十分に行き渡ることになる。
【００６３】
なお、図５（ａ）（ｂ）および図６（ａ）（ｂ）に示すように、夏期と冬期では太陽の高度が非対称に変化するため、南北方向に沿った単位プリズム１２の断面形状は横方向長さ１０に対し高さ方向長さが５となっており、頂点から下ろした垂線により横方向長さは８：２に分けられ、左右非対称となっている。太陽光制御フィルム１０が水平面に対して傾斜角２３°で配置された場合、単位プリズム１２の鋭角部１２Ａの角度を２３°とすることで、単位プリズム１２の長辺（長面）と地面とのなす角度が約４５°となる。このため太陽光を４５°だけ曲げたい場合、単位プリズム１２を抜ける光の屈折を気にすることはなく、設計が容易となる。
【００６４】
（第１の実施形態の変形例）次に図８〜図１２により第１の実施形態の変形例について説明する。
【００６５】
上記第１の実施形態では、各単位プリズム１２の短面に梨地面１１ｃが形成されていたが、図８（ａ）（ｂ）（ｃ）（ｄ）に示すように、短面に梨地面１１ｃが形成される単位プリズム１２を一定間隔で配置するようにしてもよい。図８（ａ）（ｂ）（ｃ）（ｄ）では、短面に梨地面１１ｃが形成される単位プリズム１２を１つおきに配置する例を示している。
【００６６】
ここで図８（ａ）は農業用太陽光制御フィルム１０を示す平面図であり、図８（ｂ）は図８（ａ）のＸ線方向断面図であり、図８（ｃ）は梨地面１１ｃが形成される単位プリズム１２を示す斜視図であり、図８（ｄ）は図８（ａ）のＹ線方向断面図である。
【００６７】
短面に梨地面１１ｃが形成される単位プリズム１２を一定間隔で配置することでも、短面における光の屈折機能の低減効果、光を拡散させることによるハウス２０内の光量減少の抑制効果が得られる。
【００６８】
次に図９（ａ）（ｂ）（ｃ）（ｄ）により第１の実施形態の他の変形例について説明する。上記第１の実施形態では、各単位プリズム１２の短面に梨地面１１ｃが形成されていたが、図９（ａ）（ｂ）（ｃ）（ｄ）に示すように、各単位プリズム１２の頂部及び底部（谷部）に梨地面１１ｃを形成してもよい。言い換えれば、各単位プリズム１２の長面及び短面における先端部及び先端部に対向する底辺部に梨地面１１ｃを形成する。
【００６９】
ここで図９（ａ）は農業用太陽光制御フィルム１０を示す平面図であり、図９（ｂ）は図９（ａ）のＸ線方向断面図であり、図９（ｃ）は単位プリズム１２を示す斜視図であり、図９（ｄ）は図９（ａ）のＹ線方向断面図である。
【００７０】
単位プリズム１２の頂部及び底部は加工時に丸みを帯びた形状となる場合がある。丸みを帯びた部分では、光が意図しない方向へ屈折し、ハウス２０内の光量が減少する。単位プリズム１２の頂部及び底部に梨地面１１ｃを形成することで、頂部及び底部が丸みを帯びた形状であっても、光が拡散するため、光が意図しない方向へ屈折することを防止し、ハウス２０内の光量が減少することを抑制できる。
【００７１】
次に図１０（ａ）（ｂ）（ｃ）により第１の実施形態の他の変形例について説明する。上記第１の実施形態では、各単位プリズム１２の側面（短面）に梨地面１１ｃが形成されていたが、図１０（ａ）（ｂ）（ｃ）に示すように、基材１１の入射面１１ａの一部に梨地面１１ｃを形成してもよい。梨地面１１ｃが形成された領域では、入射光が拡散光となり、出射される光量が減少する。
【００７２】
ここで図１０（ａ）は農業用太陽光制御フィルム１０を示す平面図であり、図１０（ｂ）は図１０（ａ）のＸ線方向断面図であり、図１０（ｃ）は図１０（ａ）のＹ線方向断面図である。
【００７３】
ハウス２０内では、作柄の異なる作物（例えば、光飽和点の高い作物と低い作物）を同時に育てる場合がある。この場合、ハウス２０内には、導かれる光量を多くしたい領域と、少なくしたい領域とが併存することになる。図１０（ａ）（ｂ）（ｃ）に示す農業用太陽光制御フィルム１０は、ハウス２０内の領域毎に光量を調整することができ、入射面１１ａにおける梨地面１１ｃは、光量を少なくしたい領域に対応した箇所に形成される。このように入射面１１ａに梨地面１１ｃを形成することで、ハウス２０内に導かれる光量を領域毎に調整し、作柄に応じた好適な光量の太陽光を導くことができる。
【００７４】
次に図１１（ａ）（ｂ）（ｃ）（ｄ）により第１の実施形態の他の変形例について説明する。上記第１の実施形態では単位プリズム１２の短面に梨地面１１ｃが形成されていたが、図１１（ａ）（ｂ）（ｃ）（ｄ）に示すように、フィルム基材１１の出射面１１ｂ側に補強板１５を設けてもよい。補強板１５は梨地面を有し、光を拡散する。補強板１５は基材１１と同じ材料を用いることができる。
【００７５】
ここで図１１（ａ）は農業用太陽光制御フィルム１０を示す平面図であり、図１１（ｂ）は図１１（ａ）のＸ線方向断面図であり、図１１（ｃ）は単位プリズム１２を示す斜視図であり、図１１（ｄ）は図１１（ａ）のＹ線方向断面図である。
【００７６】
各単位プリズム１２は切頭四角すい状をなし、頂面１２ａを有している。補強板１５は頂面１２ａに固着されている。このため、農業用太陽光制御フィルム１０全体としての剛性をもたせることができる。
【００７７】
この補強板１５は、ハウス２０内における導かれる光量を少なくしたい領域に対応した箇所に設けることが好ましい。このような梨地面を有する補強板１５を設けることで、ハウス２０内に導かれる光量を領域毎に調整することができる。これは、ハウス２０内で作柄の異なる作物（例えば、光飽和点の高い作物と低い作物）を同時に育てる場合に特に有用である。
【００７８】
次に図１２（ａ）（ｂ）（ｃ）（ｄ）により第１の実施形態の他の変形例について説明する。上記第１の実施形態では各単位プリズム１２の短面に梨地面１１ｃが形成されていたが、図１２（ａ）（ｂ）（ｃ）（ｄ）に示すように、所定領域の単位プリズム１２の長面及び短面に梨地面１１ｃを形成し、所定領域以外の領域の単位プリズム１２には梨地面１１ｃを形成しないようにしてもよい。
【００７９】
ここで図１２（ａ）は農業用太陽光制御フィルム１０を示す平面図であり、図１２（ｂ）は図１２（ａ）のＸ線方向断面図であり、図１２（ｃ）は梨地面１１ｃが形成される単位プリズム１２を示す斜視図であり、図１２（ｄ）は図１２（ａ）のＹ線方向断面図である。
【００８０】
ハウス２０内における導かれる光量を少なくしたい領域に対応した箇所の単位プリズム１２の長面及び短面に梨地面１１ｃを形成することが好ましい。このように梨地面１１ｃが形成された単位プリズム１２と、梨地面１１ｃが形成されない単位プリズム１２とを設けることで、ハウス２０内に導かれる光量を領域毎に調整することができる。これは、ハウス２０内で作柄の異なる作物（例えば、光飽和点の高い作物と低い作物）を同時に育てる場合に特に有用である。
【００８１】
（第２の実施形態）次に図１３（ａ）（ｂ）（ｃ）により、第２の実施形態による農業用太陽光制御フィルムについて説明する。なお図１３（ａ）（ｂ）（ｃ）に示す第２の実施の形態において、図１に示す第１の実施の形態と同一部分には同一符号を付して詳細な説明は省略する。
【００８２】
図１３（ａ）（ｂ）（ｃ）に示すように、農業用太陽光制御フィルム１０は、入射面１１ａと出射面１１ｂとを有するフィルム基材１１からなり、フィルム基材１１の出射面１１ｂに多数の細長状プリズム３２からなる凸状部が設けられている。細長状プリズム３２は多角柱状、例えば三角柱状となっており、一方向に延びている。また、出射面１１ｂの一部、具体的には三角柱状の細長状プリズム３２の短面に、微小な凹凸のある梨地面１１ｃが形成されている。
【００８３】
ここで図１３（ａ）は農業用太陽光制御フィルム１０を示す裏面図であり、図１３（ｂ）は図１３（ａ）のＸ線方向断面図であり、図１３（ｃ）は細長状プリズム３２を示す図である。
【００８４】
例えば、フィルム基材１１のうち、細長状プリズム３２の頂角は９０°、細長状プリズム３２の長辺の傾斜角は２３°となっている。またフィルム基材１１のうち入射面１１ａから細長状プリズム３２の谷部までの高さは１００μｍ、細長状プリズム３２の配置ピッチは２００μｍとなっている。
【００８５】
図１３（ａ）（ｂ）（ｃ）に示すように、フィルム基材１１の出射面１１ｂに細長状プリズム３２を設ける場合、フィルム基材１１に単位プリズム１２を設ける場合に比べて、成形が容易となる。
【００８６】
上記第１の実施形態で説明したように、プリズムの短面で屈折した太陽光はハウス２０外へ出射され、ハウス２０内の光量が減少する。本実施形態では、細長状プリズム３２の短面に梨地面１１ｃを設け、短面における光の屈折機能を低減し、光を拡散させることで、ハウス２０内の光量の減少を抑制することができる。
【００８７】
（第２の実施形態の変形例）次に図１４〜図１８により第２の実施形態の変形例について説明する。
【００８８】
上記第２の実施形態では、細長状プリズム３２の短面に梨地面１１ｃが形成されていたが、図１４（ａ）（ｂ）（ｃ）に示すように、短面に梨地面１１ｃが形成される細長状プリズム３２を一定間隔で配置するようにしてもよい。図１４（ａ）（ｂ）（ｃ）では、短面に梨地面１１ｃが形成される細長状プリズム３２を１つおきに配置する例を示している。
【００８９】
ここで図１４（ａ）は農業用太陽光制御フィルム１０を示す平面図であり、図１４（ｂ）は図１４（ａ）のＸ線方向断面図であり、図１４（ｃ）は梨地面１１ｃが形成される細長状プリズム３２を示す斜視図である。
【００９０】
短面に梨地面１１ｃが形成される細長状プリズム３２を一定間隔で配置することでも、短面における光の屈折機能の低減効果、光を拡散させることによるハウス２０内の光量減少の抑制効果が得られる。
【００９１】
次に図１５（ａ）（ｂ）（ｃ）により第２の実施形態の他の変形例について説明する。上記第２の実施形態では、細長状プリズム３２の短面に梨地面１１ｃが形成されていたが、図１５（ａ）（ｂ）（ｃ）に示すように、細長状プリズム３２の頂部及び底部（谷部）に梨地面１１ｃを形成してもよい。言い換えれば、細長状プリズム３２の長面及び短面における先端部及び先端部に対向する底辺部に梨地面１１ｃを形成する。
【００９２】
ここで図１５（ａ）は農業用太陽光制御フィルム１０を示す平面図であり、図１５（ｂ）は図１５（ａ）のＸ線方向断面図であり、図１５（ｃ）は細長状プリズム３２を示す斜視図である。
【００９３】
細長状プリズム３２の頂部及び底部は加工時に丸みを帯びた形状となる場合がある。丸みを帯びた部分では、光が意図しない方向へ屈折し、ハウス２０内の光量が減少する。細長状プリズム３２の頂部及び底部に梨地面１１ｃを形成することで、頂部及び底部が丸みを帯びた形状であっても、光が拡散するため、光が意図しない方向へ屈折することを防止し、ハウス２０内の光量が減少することを抑制できる。
【００９４】
次に図１６（ａ）（ｂ）により第２の実施形態の他の変形例について説明する。上記第２の実施形態では、細長状プリズム３２の側面（短面）に梨地面１１ｃが形成されていたが、図１６（ａ）（ｂ）に示すように、基材１１の入射面１１ａの一部に梨地面１１ｃを形成してもよい。梨地面１１ｃが形成された領域では、入射光が拡散光となり、出射される光量が減少する。
【００９５】
ここで図１６（ａ）は農業用太陽光制御フィルム１０を示す平面図であり、図１６（ｂ）は図１６（ａ）のＸ線方向断面図である。
【００９６】
ハウス２０内では、作柄の異なる作物（例えば、光飽和点の高い作物と低い作物）を同時に育てる場合がある。この場合、ハウス２０内には、導かれる光量を多くしたい領域と、少なくしたい領域とが併存することになる。図１６（ａ）（ｂ）に示す農業用太陽光制御フィルム１０は、ハウス２０内の領域毎に光量を調整する場合に好適であり、入射面１１ａにおける梨地面１１ｃは、導かれる光量を少なくしたい領域に対応した箇所に形成される。このように入射面１１ａに梨地面１１ｃを形成することで、ハウス２０内に導かれる光量を領域毎に調整することができる。
【００９７】
次に図１７（ａ）（ｂ）（ｃ）により第２の実施形態の他の変形例について説明する。上記第２の実施形態では細長状プリズム３２の短面に梨地面１１ｃが形成されていたが、図１７（ａ）（ｂ）（ｃ）に示すように、フィルム基材１１の出射面１１ｂ側に補強板３５を設けてもよい。補強板３５は梨地面を有し、光を拡散する。補強板３５は基材１１と同じ材料を用いることができる。
【００９８】
ここで図１７（ａ）は農業用太陽光制御フィルム１０を示す平面図であり、図１７（ｂ）は図１７（ａ）のＸ線方向断面図であり、図１７（ｃ）は細長状プリズム３２を示す斜視図である。
【００９９】
細長状プリズム３２は、その頂部が平坦状に切断されて頂面３２ａを形成している。補強板３５は頂面３２ａに固着されている。このため、農業用太陽光制御フィルム１０全体としての剛性をもたせることができる。
【０１００】
この補強板３５は、ハウス２０内における導かれる光量を少なくしたい領域に対応した箇所に設けることが好ましい。このような補強板３５を設けることで、ハウス２０内に導かれる光量を領域毎に調整することができる。これは、ハウス２０内で作柄の異なる作物（例えば、光飽和点の高い作物と低い作物）を同時に育てる場合に特に有用である。
【０１０１】
次に図１８（ａ）（ｂ）（ｃ）により第２の実施形態の他の変形例について説明する。上記第２の実施形態では細長状プリズム３２の短面に梨地面１１ｃが形成されていたが、図１８（ａ）（ｂ）（ｃ）に示すように、所定領域の細長状プリズム３２の長面及び短面に梨地面１１ｃを形成し、所定領域以外の領域の細長状プリズム３２には梨地面１１ｃを形成しないようにしてもよい。
【０１０２】
ここで図１８（ａ）は農業用太陽光制御フィルム１０を示す平面図であり、図１８（ｂ）は図１８（ａ）のＸ線方向断面図であり、図１８（ｃ）は梨地面１１ｃが形成される細長状プリズム３２を示す斜視図である。
【０１０３】
ハウス２０内における導かれる光量を少なくしたい領域に対応した箇所の細長状プリズム３２の長面及び短面に梨地面１１ｃを形成することが好ましい。このように梨地面１１ｃが形成された細長状プリズム３２と、梨地面１１ｃが形成されない細長状プリズム３２とを設けることで、ハウス２０内に導かれる光量を領域毎に調整することができる。これは、ハウス２０内で作柄の異なる作物（例えば、光飽和点の高い作物と低い作物）を同時に育てる場合に特に有用である。
【０１０４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０５】
１０  農業用太陽光制御フィルム
１１  フィルム基材
１１ａ  入射面
１１ｂ  出射面
１２  単位プリズム
１２ａ  頂面
１５  補強板
２０  ハウス
３２  細長状プリズム
３５  補強板
【図１】
0005963042.tif 000002
【図２】
0005963042.tif 000003
【図３】
0005963042.tif 000004
【図４】
0005963042.tif 000005
【図５】
0005963042.tif 000006
【図６】
0005963042.tif 000007
【図７】
0005963042.tif 000008
【図８】
0005963042.tif 000009
【図９】
0005963042.tif 000010
【図１０】
0005963042.tif 000011
【図１１】
0005963042.tif 000012
【図１２】
0005963042.tif 000013
【図１３】
0005963042.tif 000014
【図１４】
0005963042.tif 000015
【図１５】
0005963042.tif 000016
【図１６】
0005963042.tif 000017
【図１７】
0005963042.tif 000018
【図１８】
0005963042.tif 000019